【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
オーディオ信号をユーザにパーソナライズするように構成されたシステムであって、
コンテンツオーディオ信号及びテストオーディオ信号を発するように構成された、ユーザの耳に近接するように構成されたスピーカであって、前記テストオーディオ信号が可聴周波数範囲内の周波数を含んでいる、スピーカと、
前記ユーザに関連する耳音響放射を測定するように構成された、前記ユーザの耳に近接するように構成されたマイクであって、前記耳音響放射が前記テストオーディオ信号に応じて前記ユーザの耳内に誘発される音を含んでいる、マイクと、
前記スピーカ及び前記マイクに結合されたプロセッサであって、
前記テストオーディオ信号を生成し、
前記テストオーディオ信号を前記スピーカに送信し、
前記マイクから前記ユーザに関連する前記テストオーディオ信号に対する前記耳音響放射を受信し、
前記テストオーディオ信号及び前記耳音響放射に基づいて、聴覚の主観テストを行うことなく、前記ユーザに関連する聴覚伝達関数を決定し、
人間聴覚プロファイルに関するデータを表す統計情報を受信し、
前記ユーザに関連する前記聴覚伝達関数及び人間聴覚プロファイルに関するデータを表す前記統計情報に基づいて、前記コンテンツオーディオ信号に関連する振幅を、所望の聴覚伝達関数と前記ユーザに関連する前記聴覚伝達関数との差を自動的に補償するように調節し、
調節された前記コンテンツオーディオ信号を前記スピーカに送信する
ように構成されたプロセッサと
を備えている、システム。
【請求項２】
前記ユーザに関連する前記聴覚伝達関数は、前記耳音響放射に関連する前記周波数の聴覚閾値、前記耳音響放射に関連する振幅、前記耳音響放射に関連する前記周波数の位相シフト及び前記耳音響放射に関連する前記周波数のレイテンシのいずれかより導出される、請求項１に記載のシステム。
【請求項３】
前記プロセッサは、さらに、前記コンテンツオーディオ信号の位相及び前記コンテンツオーディオ信号のレイテンシのいずれかを、前記所望の聴覚伝達関数と前記ユーザに関連する前記聴覚伝達関数との差を自動的に補償するように調節するよう構成されている、請求項１又は２に記載のシステム。
【請求項４】
前記マイクは、ユーザの外耳道内に配されるイヤホンの一部を形成している、請求項１〜３のいずれか１項に記載のシステム。
【請求項５】
前記ユーザの耳に近接する前記スピーカは、
前記可聴周波数範囲内で音を発するように構成されたツイータースピーカと、
前記可聴周波数範囲内で音を発するように構成されたウーファースピーカと、
前記ツイータースピーカ及び前記ウーファースピーカに結合されたクロスオーバーであって、
１つ以上のオーディオチャンネルを含む前記テストオーディオ信号を受信し、
前記テストオーディオ信号の１つ以上のチャンネルを前記ツイータースピーカに送信すると共に、前記テストオーディオ信号の１つ以上のチャンネルを前記ウーファースピーカに送信し、
前記コンテンツオーディオ信号を受信し、
前記コンテンツオーディオ信号に対してローパスフィルタ処理を実行して、その結果生じた信号を取得し、
前記その結果生じた信号を前記ウーファースピーカに送信し、
前記コンテンツオーディオ信号に対してハイパスフィルタ処理を実行し、
その結果生じた信号を前記ツイータースピーカに送信する
ように構成されたクロスオーバーと
を備えている、請求項１〜４のいずれか１項に記載のシステム。
【請求項６】
オーディオ信号をユーザにパーソナライズするように構成されたシステムであって、
オーディオ信号を発するように構成されたスピーカと、
前記オーディオ信号に対する前記ユーザの聴覚感度に関連する客観的測定を行うように構成されたセンサと、
前記スピーカ及び前記センサに結合されたプロセッサであって、
前記センサから前記オーディオ信号に対する前記ユーザの聴覚感度に関連する客観的測定を受信し、
前記オーディオ信号及び前記オーディオ信号に対する前記ユーザの聴覚感度に関連する客観的測定に基づいて、聴覚の主観テストを必要とすることなく、前記ユーザに関連する聴覚伝達関数を決定し、
前記ユーザに関連する前記聴覚伝達関数に基づいて、前記オーディオ信号を、所望の聴覚伝達関数と前記ユーザに関連する前記聴覚伝達関数との差を自動的に補償するように調節し、
調節された前記オーディオ信号を前記スピーカに送信する
ように構成されたプロセッサと
を備えている、システム。
【請求項７】
前記オーディオ信号は、コンテンツオーディオ信号を含んでいる、請求項６に記載のシステム。
【請求項８】
前記プロセッサは、前記ユーザに関連する前記聴覚伝達関数及び人間聴覚プロファイルに関するデータを表す前記統計情報に基づいて、前記オーディオ信号を調節するように構成されている、請求項６又は７に記載のシステム。
【請求項９】
前記センサは、マイクを備えており、前記マイクは、
前記ユーザに関連する耳音響放射を検出し、ここで、前記耳音響放射は、前記オーディオ信号に応じて生成され、
前記オーディオ信号に関連する周波数に対応する前記耳音響放射に関連する聴覚閾値、前記オーディオ信号に関連する前記周波数に対応する前記耳音響放射の振幅、前記オーディオ信号に関連する前記周波数に対応する前記耳音響放射の位相及び前記オーディオ信号に関連する前記周波数に対応する前記耳音響放射のレイテンシのいずれかを決定する
ように構成されている、請求項６〜８のいずれか１項に記載のシステム。
【請求項１０】
前記プロセッサは、前記ユーザに関連する前記聴覚伝達関数を、外部データベースから又は外部データベースへと送信するように構成されている、請求項６〜９のいずれか１項に記載のシステム。
【請求項１１】
前記センサは、電極、容量式センサ又はマイクを備えている、請求項６〜１０のいずれか１項に記載のシステム。
【請求項１２】
前記オーディオ信号に対する前記ユーザの聴覚感度に関連する前記客観的測定を行うように構成された前記センサは、
前記ユーザに関連する聴覚誘発電位応答を検出し、ここで、前記聴覚誘発電位応答は、前記オーディオ信号に応じて生成され、
前記オーディオ信号に関連する周波数に対応する前記聴覚誘発電位応答に関連する聴覚閾値、前記オーディオ信号に関連する周波数に対応する前記聴覚誘発電位応答の振幅及び前記オーディオ信号に関連する周波数に対応する前記聴覚誘発電位応答のレイテンシのいずれかを決定する
ように構成された前記センサを含んでいる、請求項６〜１１のいずれか１項に記載のシステム。
【請求項１３】
前記プロセッサは、さらに、前記聴覚伝達関数内の周波数のサブセットに関連する前記聴覚伝達関数を精緻化することによって、前記ユーザに関連する前記聴覚伝達関数を連続的に精緻化するように構成されている、請求項６〜１２のいずれか１項に記載のシステム。
【請求項１４】
オーディオ信号をユーザにパーソナライズする方法であって、
前記オーディオ信号を前記ユーザに対して再生するステップと、
前記オーディオ信号に対する前記ユーザの聴覚感度に関連する客観的測定を行うステップと、
前記オーディオ信号及び前記オーディオ信号に対する前記ユーザの聴覚感度に関連する客観的測定に基づいて、聴覚の主観テストを行うことなく、前記ユーザに関連する聴覚伝達関数を決定するステップと、
前記ユーザに関連する聴覚伝達関数及び人間聴覚プロファイルに関するデータを表す統計情報に基づいて、前記オーディオ信号を、所望の聴覚伝達関数と前記ユーザに関連する前記聴覚伝達関数との差を自動的に補償するように調節するステップと、
調節された前記オーディオ信号を前記スピーカに送信するステップと
を含んでいる、方法。
【請求項１５】
前記聴覚伝達関数は、前記オーディオ信号に対する前記ユーザの聴覚感度に関連する前記客観的測定における周波数の振幅、前記客観的測定に関連する前記周波数の聴覚閾値、前記オーディオ信号に対する前記ユーザの聴覚感度に関連する前記客観的測定における前記周波数の位相シフト及び前記オーディオ信号に対する前記ユーザの聴覚感度に関連する前記客観的測定における前記周波数のレイテンシのいずれかより導出される、請求項１４に記載の方法。
【請求項１６】
前記客観的測定を行う前記ステップは、
前記ユーザに関連する聴覚誘発電位応答を検出するステップであって、前記聴覚誘発電位応答は、前記オーディオ信号に応じて生成する、ステップと、
前記オーディオ信号に関連する周波数に対応する前記聴覚誘発電位応答に関連する聴覚閾値、前記オーディオ信号に関連する周波数に対応する前記聴覚誘発電位応答の振幅及び前記オーディオ信号に関連する周波数に対応する前記聴覚誘発電位応答のレイテンシのいずれかを決定するステップと
を含んでいる、請求項１４又は１５に記載の方法。
【請求項１７】
種々異なるユーザの耳の違い及びイヤホンの配置の違いを考慮するように、前記スピーカのインサイチュ較正を実行するステップをさらに含んでいる、請求項１４〜１６のいずれか１項に記載の方法。
【請求項１８】
前記聴覚伝達関数を決定する前記ステップは、
前記オーディオ信号に対する複数の応答を結合するステップを含んでいる、請求項１４〜１７のいずれか１項に記載の方法。
【請求項１９】
前記オーディオ信号に対する前記ユーザの聴覚感度に関連する前記客観的測定を行う前記ステップは、前記ユーザが前記オーディオ信号を聞いている間に、脳電図（ＥＥＧ）信号を記録するステップを含んでいる、請求項１４〜１８のいずれか１項に記載の方法。
【請求項２０】
前記聴覚伝達関数を決定する前記ステップは、
前記オーディオ信号と前記ＥＥＧ信号の周波数成分を比較するステップであって、それにより前記聴覚伝達関数の低周波数部分を決定するステップを含んでいる、請求項１９に記載の方法。
【請求項２１】
前記聴覚伝達関数を決定する前記ステップは、音響過渡後における前記ＥＥＧ信号を分析するステップであって、それにより前記聴覚伝達関数の高周波数部分を決定するステップを含んでいる、請求項１９又は２０に記載の方法。
【請求項２２】
前記オーディオ信号内の過渡音を検出するステップと、
前記過渡音の時間窓のフーリエ変換を実行するステップであって、それにより前記ユーザの耳の蝸牛における刺激された部分を決定するステップと、
前記過渡音の前の時間窓内における前記ＥＥＧ信号の事前二乗平均平方根（ｐｒｅ−ＲＭＳ）値を記録するステップと、
前記過渡音の後の時間窓内における前記ＥＥＧ信号の事後二乗平均平方根（ｐｏｓｔ−ＲＭＳ）値を記録するステップと、
経時的に記録された複数のｐｒｅ−ＲＭＳ値に基づいて、ｐｒｅ−ＲＭＳ平均値を計算するステップと、
経時的に記録された複数のｐｏｓｔ−ＲＭＳ値に基づいて、ｐｏｓｔ−ＲＭＳ平均値を計算するステップと、
前記ｐｒｅ−ＲＭＳ平均値及び前記ｐｏｓｔ−ＲＭＳ平均値を前記複数の聴覚伝達関数と比較するステップであって、それにより前記聴覚伝達関数の前記高周波数部分を決定するステップと
を含んでいる、請求項２１に記載の方法。
【請求項２３】
前記客観的測定を行う前記ステップは、前記ユーザが前記オーディオ信号を聞いている間に、耳音響放射を測定するステップを含んでいる、請求項１４〜１９のいずれか１項に記載の方法。
【請求項２４】
前記客観的測定を行う前記ステップは、
前記ユーザに関連する耳音響放射を検出するステップであって、前記耳音響放射は、前記オーディオ信号に応じて生成される、ステップと、
前記オーディオ信号に関連する周波数に対応する前記耳音響放射に関連する聴覚閾値、前記オーディオ信号に関連する周波数に対応する前記耳音響放射の振幅、前記オーディオ信号に関連する周波数に対応する前記耳音響放射の位相測定、及び前記オーディオ信号に関連する周波数に対応する前記耳音響放射のレイテンシのいずれかを決定するステップと
を含んでいる、請求項１４〜１９及び２３のいずれか１項に記載の方法。